(57)【要約】【課題】ユーザが理解し易い操作で、より気軽に画像データを転送する。【解決手段】画像を撮影する撮影部(11〜13)と、撮影で得た画像データを記録するメモリカード32と、近接される外部機器と非接触でデータ通信環境を確立する近接通信部28と、装置の姿勢を検出する慣性計測部IMと、近接通信部28により外部機器とのデータ通信環境を確立した状態での慣性計測部IMの検出結果に応じて、メモリカード32から予め設定された単位の画像データを読出し、近接通信部28により上記外部機器へ転送させるＣＰＵ20とを備える。【選択図】図１
2012182576.tif 000002
【特許請求の範囲】
【請求項１】
画像を撮影する撮影手段と、
上記撮影手段での撮影で得た画像データを記録する記録手段と、
近接される外部機器と非接触でデータ通信環境を確立する近接通信手段と、
装置の姿勢を検出する姿勢検出手段と、
上記近接通信手段により外部機器とのデータ通信環境を確立した状態での上記姿勢検出手段の検出結果に応じて、上記記録手段から予め設定された単位の画像データを読出し、上記近接通信手段により上記外部機器へ転送する転送制御手段と
を具備したことを特徴とする撮像装置。
【請求項２】
装置筐体に与えられる物理的な操作を検出する操作検出手段をさらに具備し、
上記転送制御手段は、上記近接通信手段により外部機器とのデータ通信環境を確立した状態での、上記姿勢検出手段の検出結果と、及び上記操作検出手段の検出結果とに応じて、上記記録手段から予め設定された単位の画像データを読出し、上記近接通信手段により上記外部機器へ転送する
ことを特徴とする請求項１記載の撮像装置。
【請求項３】
上記姿勢検出手段は、装置の正立または倒立を検出することを特徴とする請求項１記載の撮像装置。
【請求項４】
上記操作検出手段は、装置筐体に与えられる揺動または振動の操作を検出することを特徴とする請求項２記載の撮像装置。
【請求項５】
現在位置を測定する測位手段をさらに具備し、
上記記録手段は撮影時の現在位置を示す位置情報を画像データに関連付けて記録し、
上記転送制御手段は、予め設定された距離範囲内の位置情報が関連付けられた画像データを１単位として上記記録手段から読出し、上記近接通信手段により上記外部機器へ転送する
ことを特徴とする請求項１記載の撮像装置。
【請求項６】
画像を撮影する撮影部、上記撮影部での撮影で得た画像データを記録する記録部、近接される外部機器と非接触でデータ通信環境を確立する近接通信部、及び装置の姿勢を検出する姿勢検出部を備えた撮像装置が内蔵するコンピュータが実行するプログラムであって、
上記プログラムを、
上記近接通信部により外部機器とのデータ通信環境を確立した状態での上記姿勢検出部の検出結果に応じて、上記記録部から予め設定された単位の画像データを読出し、上記近接通信部により上記外部機器へ転送する転送制御手段
として機能させることを特徴とするプログラム。
【発明の詳細な説明】
【技術分野】
【０００１】
本発明は、例えば旅行先に携帯するデジタルカメラなどに好適な撮像装置及びプログラムに関する。
【背景技術】
【０００２】
撮像装置を他の外部機器と連携して使用するものとして、例えば撮像装置の小型軽量化のため、無線通信モジュールを着脱可能にし、映像データを無線で大記憶容量の外部装置に転送できるようにした技術などが考えられている。（例えば、特許文献１）
【先行技術文献】
【特許文献】
【０００３】
【特許文献１】特開２００２−１９１００７号公報
【発明の概要】
【発明が解決しようとする課題】
【０００４】
上記特許文献に記載された技術は、撮像装置を小型軽量化することを目的として、画像データ等を送信する無線通信モジュールを着脱可能な構成としている。したがって、画像送信を行なう場合にはその都度、無線通信モジュールを撮像装置に装着し、送信を終えた後に上記無線通信モジュールを撮像装置から取り外す、といった煩雑な手間が必要となる。
【０００５】
近時、カメラ機能を備えた携帯電話端末が広く普及しており、特にデジタルカメラを所持しておらずとも、日常のスナップ撮影を行なうことは可能であり、また携帯電話端末で撮影して得た画像データは気軽にインターネットを経由して転送させることができる。
【０００６】
しかしながら、携帯電話端末が備えるカメラ機能は、レンズ光学系や撮像素子の物理的なサイズが制約されている。そのため、携帯電話端末での撮影で得られる画像データは、画像サイズ（画素数）の点では充分高精細であるものの、画質の点では専用の撮影装置であるデジタルカメラと比して大きく劣る。
【０００７】
このように、例えば明るい（開放Ｆ値の小さい）レンズと望遠レンズとを活かした、主要な被写体のみに合焦して背景をぼかした画像などは、デジタルカメラでしか撮影できないものであり、デジタルカメラの存在意義はそのような点にもあると思われる。
【０００８】
しかるに、デジタルカメラでの撮影で得た画像データを例えば携帯電話端末のような外部機器に手軽に転送する技術は、上記特許文献に記載された技術を含めて未だ確立されていない。
【０００９】
本発明は上記のような実情に鑑みてなされたもので、その目的とするところは、ユーザが理解し易い操作で、より気軽に画像データを転送することが可能な撮像装置及びプログラムを提供することにある。
【課題を解決するための手段】
【００１０】
本発明の一態様は、画像を撮影する撮影手段と、上記撮影手段での撮影で得た画像データを記録する記録手段と、近接される外部機器と非接触でデータ通信環境を確立する近接通信手段と、装置の姿勢を検出する姿勢検出手段と、上記近接通信手段により外部機器とのデータ通信環境を確立した状態での上記姿勢検出手段の検出結果に応じて、上記記録手段から予め設定された単位の画像データを読出し、上記近接通信手段により上記外部機器へ転送する転送制御手段とを具備したことを特徴とする。
【発明の効果】
【００１１】
本発明によれば、ユーザが理解し易い操作で、より気軽に画像データを転送することが可能となる。
【図面の簡単な説明】
【００１２】
【図１】本発明の一実施形態に係るデジタルカメラの機能構成を示すブロック図。
【図２】同実施形態に係る再生モード時の画像転送の処理内容を示すフローチャート。
【図３】同実施形態に係る表示部で表示するタップ操作を促すガイドメッセージを示す図。
【発明を実施するための形態】
【００１３】
以下、本発明をデジタルカメラに適用した場合の一実施形態について図面を参照して説明する。
【００１４】
図１は、本実施形態に係るデジタルカメラ１０の回路構成を示すものである。同図では、カメラ筐体の前面に配設される撮影レンズ部１１を介して、固体撮像素子、例えばＣＭＯＳイメージセンサ（ＩＳ）１２の撮像面上に被写体の光像を入射して結像させる。
【００１５】
スルー画像表示、あるいはライブビュー画像表示とも称されるモニタ状態では、このＣＭＯＳイメージセンサ１２での撮像により得た画像信号をＡＧＣ・Ａ／Ｄ変換部１３に送る。ＡＧＣ・Ａ／Ｄ変換部１３は、アナログの画像信号に対して相関二乗サンプリングや自動ゲイン調整、Ａ／Ｄ変換処理を実行してデジタル化する。このデジタル値の画像データはシステムバスＳＢを介して画像処理部１４に送る。
【００１６】
画像処理部１４は、画像データに対して適宜必要な画像処理を施す。すなわち画像処理部１４では、上記ＣＭＯＳイメージセンサ１２が備えるベイヤー配列のカラーフィルタの構成に応じた画像データ（以下「ＲＡＷ（生）データ」と称する）に対してデジタル現像処理、具体的には画素補間処理、ガンマ補正処理、マトリックス演算等のデモザイク処理を施すことで、輝度色差系（ＹＵＶ）の画像データに変換する。
【００１７】
画像処理部１４は、現像後の画像データから表示用に画素数及び階調ビットを大幅に減じた画像データを作成し、システムバスＳＢを介して表示部１５へ送る。表示部１５では、送られてきた画像データに基づいてスルー画像を表示する。
【００１８】
表示部１５は、カメラ筐体の背面側に設けられ、例えばバックライト付きのカラー液晶パネルとそのコントローラとで構成される。この表示部１５の画面上部に一体にして透明導電膜を用いたタッチ入力部１６が構成される。
【００１９】
このタッチ入力部１６でユーザが手指等で表面をタッチ操作すると、タッチ入力部１６では操作された座標位置を算出し、算出した座標信号を上記システムバスＳＢを介して後述するＣＰＵ２０に送出する。
【００２０】
また、上記撮影レンズ部１１と同じくカメラ筐体前面には、マイクロホン１７が配設され、被写体方向の音声が入力される。マイクロホン１７は入力した音声を電気信号化し、音声処理部１８へ出力する。
【００２１】
音声処理部１８は、音声単体での録音時、音声付き静止画像撮影時、及び動画像の撮影時にマイクロホン１７から入力する音声信号をデジタルデータ化する。さらに音声処理部１８は、デジタル化した音声データの音圧レベルを検出する一方で、該音声データを所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、後述する記録媒体へ送出する。
【００２２】
加えて音声処理部１８は、ＰＣＭ音源等の音源回路を備え、音声の再生時に送られてくる音声データファイルの圧縮を解いてアナログ化し、このデジタルカメラ１０の筐体背面側に設けられるスピーカ１９を駆動して、放音させる。
【００２３】
以上の回路をＣＰＵ２０が統括して制御する。このＣＰＵ２０は、メインメモリ２１、プログラムメモリ２２と直接接続される。メインメモリ２１は、例えばＳＲＡＭで構成され、ワークメモリとして機能する。プログラムメモリ２２は、例えばフラッシュメモリなどの電気的に書換可能な不揮発性メモリで構成され、後述する再生モード時の画像データ転送の動作を含む各種動作プログラムや地図データ等を固定的に記憶する。
【００２４】
ＣＰＵ２０はプログラムメモリ２２から必要なプログラムやデータ等を読出し、メインメモリ２１に適宜一時的に展開して記憶させながら、このデジタルカメラ１０全体の制御動作を実行する。
【００２５】
さらに上記ＣＰＵ２０は、キー操作部２３から直接入力される各種キー操作信号、及び上記タッチ入力部１６からのタッチ操作に応じた座標信号に対応して制御動作を実行する。
【００２６】
キー操作部２３は、例えば電源キー、シャッタレリーズキー、ズームアップ／ダウンキー、撮影モードキー、再生モードキー、メニューキー、カーソル（「↑」「→」「↓」「←」）キー、セットキー、解除キー、ディスプレイキー等を備える。
【００２７】
ＣＰＵ２０は、システムバスＳＢを介して上記ＡＧＣ・Ａ／Ｄ変換部１３、画像処理部１４、表示部１５、タッチ入力部１６、及び音声処理部１８の他、さらにフラッシュ駆動部２４、イメージセンサ（ＩＳ）駆動部２５、３軸加速度センサ２６、ジャイロスコープ２７、近接通信部２８、メモリカードコントローラ２９、及びＧＰＳ（Ｇｌｏｂａｌ  Ｐｏｓｉｔｉｏｎｉｎｇ  Ｓｙｓｔｅｍ：全地球測位システム）レシーバ３０と接続される。
【００２８】
フラッシュ駆動部２４は、静止画像撮影時にＣＰＵ２０からの制御信号を受けて、複数の白色高輝度ＬＥＤで構成されるフラッシュ部３１を撮影タイミングに同期して点灯駆動する。
【００２９】
イメージセンサ駆動部２５は、その時点で設定されている撮影条件等に応じて上記ＣＭＯＳイメージセンサ１２の走査駆動を行なう。
【００３０】
上記画像処理部１４は、上記キー操作部２３のシャッタレリーズキー操作に伴う画像撮影時に、ＡＧＣ・Ａ／Ｄ変換部１３から送られてくる画像データをデモザイク処理し、さらに所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減した画像データファイルを作成する。作成した画像データファイルは、システムバスＳＢ、上記メモリカードコントローラ２９を介してメモリカード３２に転送し、ここで保存される。
【００３１】
また画像処理部１４は、再生モード時にメモリカード３２からメモリカードコントローラ２９を介して読出されてくる画像データをシステムバスＳＢを介して受取る。表示部１５は、この受取った画像データを記録時とは逆の手順で圧縮を解く伸長処理により元のサイズの画像データを得、得た画像データのデータ量を減じた後にシステムバスＳＢを介して表示部１５で表示させる。  
３軸加速度センサ２６は、例えばピエゾ抵抗型の半導体加速度センサで構成される。この３軸加速度センサ２６の出力により、撮影時の手ブレ補正用のデジタルカメラ１０の移動方向と加速度を検出できる。
【００３２】
また３軸加速度センサ２６は、上記ジャイロスコープ２７と組合わせて慣性計測部ＩＭを構成する。ジャイロスコープ２７は、例えば音叉型の振動片に働くコリオリの力から各速度を検出する。
【００３３】
ジャイロスコープ２７で方角を、３軸加速度センサ２６で加速度を求め、それらを積分することでデジタルカメラ１０の移動に伴う速度が、同速度を積分することでデジタルカメラ１０の移動に伴う距離を算出できる。
【００３４】
近接通信部２８は、例えばカメラ筐体の底面に電磁誘導カプラによるアンテナを備え、Ｔｒａｎｓｆｅｒ  Ｊｅｔ（登録商標）規格に準拠した構成を有するもので、同規格に準拠した他の外部機器のカプラに当接することで、その機器との間で通信速度３００〜５００［Ｍｂｐｓ］程度の高速データ通信を実行する。
【００３５】
メモリカードコントローラ２９は、カードコネクタ３３に装着されたメモリカード３２と接続される。メモリカード３２は、このデジタルカメラ１０に着脱自在に装着され、このデジタルカメラ１０の記録媒体となる、画像ファイル等の記録用メモリであり、内部には不揮発性メモリであるフラッシュメモリと、その駆動回路とが設けられる。
【００３６】
メモリカード３２には、画像ファイルとその送信履歴とが記録される。メモリカード３２に記録される画像ファイルは、例えばＥｘｉｆ（Ｅｘｃｈａｎｇｅａｂｌｅ  ｉｍａｇｅ  ｆｉｌｅ  ｆｏｒｍａｔ）フォーマットに準拠し、画像と共に記録されるメタデータとして、撮影日時、撮影機器メーカ名、撮影機器モデル名、画像全体の解像度、水平・一定直接方向の単位あたりの解像度、シャッタスピード、絞りＡＦ値、ＩＳＯ感度、測光モード、フラッシュの有無、露光補正ステップ値、焦点距離、及び色空間に加えて、後述するＧＰＳレシーバ３０で得たＧＰＳ情報（撮影位置の緯度、経度、高度など）を撮影場所を示す情報として含む。
【００３７】
ＧＰＳレシーバ３０は、ＧＰＳアンテナ３４で受信した、図示しない複数（原理上は最低４個）のＧＰＳ衛星からの到来電波に基づいて現在位置の３次元情報（緯度、経度、高度）と正確な現在時刻とを算出する。
【００３８】
次に上記実施形態の動作について説明する。  
なお以下に示す動作は、メモリカード３２に記録した画像データを読出して表示部１５で表示させる再生モード時に、ＣＰＵ２０の制御の下に実行する、他の外部機器である携帯電話端末への画像転送の動作の処理内容を抽出して示す。ＣＰＵ２０はプログラムメモリ２２に記憶されている動作プログラムやデータを読出し、メインメモリ２１に展開して記憶させた上で該動作プログラムを実行する。
【００３９】
プログラムメモリ２２に記憶されている動作プログラム等は、このデジタルカメラ１０の製造工場出荷時にプログラムメモリ２２に記憶されていたものに加え、例えばこのデジタルカメラ１０のバージョンアップに際して、デジタルカメラ１０を図示しないパーソナルコンピュータと接続し、あるいは更新プログラムを記憶したメモリカード３２を一時的にカードコネクタ３３に装着することにより外部から新たな動作プログラム、制御用のデータ、地図データ等をインストールするものも含む。
【００４０】
図２においてＣＰＵ２０は、再生モード時には記録した任意の画像をユーザが選択して表示部１５で表示させる一方で、事前のマッチング処理により予め登録された認識情報を有する携帯電話端末との接続があるか否かを近接通信部２８からの検出信号により継続して判断することで、携帯電話端末が近接するのを待機する（ステップＳ１０１）。
【００４１】
ここで登録済みの携帯電話端末との近接が検出されると、ＣＰＵ２０は上記ステップＳ１０１でそれを判断し、送信する画像データの単位数を表す変数ｎを初期値「１」に設定する（ステップＳ１０２）。
【００４２】
次いで携帯電話端末との近接状態が維持されていることを確認した上で（ステップＳ１０３）、ＣＰＵ２０はユーザによる手指でのデジタルカメラ１０の筐体へのタップ操作があったか否かを３軸加速度センサ２６での検出出力による振動の有無で判断する（ステップＳ１０４）。
【００４３】
ここで当該タップ操作があり、振動を検出したと判断した場合にのみ、上記変数ｎの値を「＋１」更新設定する（ステップＳ１０５）。
【００４４】
その後、ＣＰＵ２０はメモリカード３２に記録されている画像ファイルとそれら画像ファイルそれぞれに添付されている送信履歴情報とを参照する（ステップＳ１０６）。
【００４５】
次いで、その時点での転送する画像データの単位数を表す変数ｎの値が「０」であるか否か、すなわち近接する携帯電話端末への画像データの送信を終えたか否かを判断する（ステップＳ１０７）。
【００４６】
ここで上記変数ｎの値が「０」であると判断した場合、画像ファイルの送信を終えたことになるため、現状は送信する画像ファイルがない旨と、さらなる画像の送信の指示操作であるデジタルカメラ１０筐体へのユーザ手指によるタップ操作を促すガイドメッセージを表示部１５で表示させた上で（ステップＳ１１７）、上記ステップＳ１０３からの処理に戻る。
【００４７】
図３は、ＣＰＵ２０が表示部１５で表示させる上記ガイドメッセージを例示する図である。表示部１５では、再生モード時に地図データと、記録している画像ファイルの撮影場所（ＧＰＳ情報）とを関連付けて表示した状態を示す。
【００４８】
画面の略中央において文字列  
「送信する画像がありません  
さらに送信する場合はカメラをタップして下さい」  
なるガイドメッセージを表示している。
【００４９】
また上記ステップＳ１０７で、転送する画像データの単位数を表す変数ｎの値が「０」ではないと判断した場合、ＣＰＵ２０はさらにメモリカード３２に記録される画像ファイルの送信履歴情報により、まだ携帯電話端末に送信していない画像ファイルがあるか否かを判断する（ステップＳ１０８）。
【００５０】
ここでもう送信していない画像ファイルがないと判断した場合、ＣＰＵ２０は上記ステップＳ１７に進んで、現状は送信する画像ファイルがない旨と、さらなる画像の送信の指示操作であるデジタルカメラ１０筐体へのユーザ手指によるタップ操作を促すガイドメッセージを表示部１５で表示させる。
【００５１】
また上記ステップＳ１０８で、メモリカード３２に記録される画像ファイルでまだ携帯電話端末に送信していないものがあると判断した場合、次にＣＰＵ２０は上記３軸加速度センサ２６の検出する重力加速度の方向によりデジタルカメラ１０が正立した状態で携帯電話端末と近接されているか否かを判断する（ステップＳ１０９）。
【００５２】
本実施形態では、デジタルカメラ１０が正立した状態で携帯電話端末と近接されている場合には、メモリカード３２に記録されている未送信の１つの画像ファイル単位で選択して携帯電話端末に送信するものとする。
【００５３】
また、同じくデジタルカメラ１０が倒立した状態で携帯電話端末と近接されている場合には、メモリカード３２に記録されている未送信の画像ファイルを予め選択して設定したグループ単位、例えば撮影日単位、または撮影場所単位で選択して携帯電話端末に送信するものとする。
【００５４】
上記撮影日では、画像と共に記録されるメタデータ中の撮影日時の情報から、同一の日付のものを同一のグループとして選択する。  
上記撮影場所では、画像と共に記録されるメタデータ中のＧＰＳ情報から、所定の距離範囲、例えば半径１０［ｋｍ］のエリア内に位置するものを同一のグループとして選択する。
【００５５】
上記ステップＳ１０９でデジタルカメラ１０が正立しているた状態で携帯電話端末と近接されていると判断した場合、ＣＰＵ２０はメモリカード３２に記録されている未送信の画像ファイル中、最も撮影日時のデータが新しいものを１つ選択する（ステップＳ１１０）。
【００５６】
また上記ステップＳ１０９でデジタルカメラ１０が正立していないと判断した場合、デジタルカメラ１０及び携帯電話端末と共に倒立した状態で近接されていることになるので、ＣＰＵ２０は次にその時点で設定されている画像ファイルのグループ単位は日付に基づくものであるか否かを判断する（ステップＳ１１１）。
【００５７】
ここで画像ファイルのグループ単位が日付に基づくものであると判断した場合、ＣＰＵ２０はメモリカード３２に記録されている未送信の画像ファイル中、最も撮影日時のデータが新しいものに基づいて、同一の撮影日時で他にも未送信の画像ファイルがあればそれらすべてを選択する（ステップＳ１１２）。
【００５８】
また上記ステップＳ１１１で画像ファイルのグループ単位が日付に基づくものではないと判断した場合、画像ファイルのグループ単位は撮影場所に基づくものであることになるので、ＣＰＵ２０はメモリカード３２に記録されている未送信の画像ファイル中、その時点でＧＰＳレシーバ３０により得られる現在位置から最も近い撮影場所のものを基準とし、その撮影場所から所定の距離範囲内の撮影場所の情報が付された他の未送信の画像ファイルをすべて選択する（ステップＳ１１３）。
【００５９】
上記ステップＳ１１０またはＳ１１２またはＳ１１３での画像ファイルの選択後、ＣＰＵ２０は選択した画像ファイルをメモリカード３２から読出して近接通信部２８により携帯電話端末側へ送信する（ステップＳ１１４）。
【００６０】
送信終了後、ＣＰＵ２０は送信した画像ファイルの送信履歴情報を更新設定する（ステップＳ１１５）。その後、送信する画像データの単位数を表す変数ｎの値を「−１」更新設定した後（ステップＳ１１６）、さらなる画像ファイルの送信に備えて再び上記ステップＳ１０３からの処理に戻る。
【００６１】
したがって、上記図３に示すような送信すべき画像ファイルがない旨のガイドメッセージが表示された状態でも、撮影レンズ部１１の筐体をユーザが手指でタップ操作することにより、訴真振動を検出して、その時点のデジタルカメラ１０の姿勢、すなわち正立状態か、倒立状態か、及び倒立状態であった場合はさらにその時点で設定されている画像のグループ単位が日付によるものであるか、撮影場所範囲によるものであるかにより、適切な単位で随時画像ファイルをメモリカード３２から読出し、近接している携帯電話端末側へ送信させることができる。
【００６２】
以上詳述した如く本実施形態によれば、ユーザが理解し易い直感的な操作で、より気軽に画像ファイルを転送することが可能となる。
【００６３】
特に上記実施形態では、特定のキー操作等ではなく、デジタルカメラ１０の筐体ケーシングに対してユーザにより与えられる物理的な操作、例えば手指によるタップ操作を検出するものとして、さらなる画像ファイルの送信を指示するものとしたので、きわめて直感的で理解しやすいユーザインターフェイスを実現できる。
【００６４】
加えて、デジタルカメラ１０が正立しているか、倒立しているかにより少数の画像ファイルを選択するか、ある程度のグループ単位で画像ファイルを選択するかを選択するものとしたので、なんらかの容器をひっくり返すことで容器内の多量の内容物がこぼれ出るような、感覚的にも理解しやすい方法で送信する画像ファイルの単位を切り替えることができる。
【００６５】
さらに上記実施形態では、デジタルカメラ１０の筐体に対するタップ操作の振動を検出するものとしたが、このようなタップ操作、あるいはデジタルカメラ１０と近接させた携帯電話端末をまとめて揺するような揺動操作を受付けるものとすることにより、本来手ブレ検出及びカメラの縦横姿勢検出で使用する加速度センサを有効に活用して、直感的な操作が実現できる。
【００６６】
加えて本実施形態では、ＧＰＳ機能により画像ファイルの撮影場所を合わせて記録させることができ、また現在位置も測定できるため、一般的な時間を指標とした取り纏めのみならず、それら場所に関する情報を指標として画像データを取り纏めることが可能となる。
【００６７】
なお上記実施形態は、他の外部機器との近接検出をＴｒａｎｓｆｅｒ  Ｊｅｔ（登録商標）規格の技術を用いて実行するものとして説明したが、本発明はその技術を限定するものではなく、他にも例えばＦｅｌｉｃａ（登録商標）方式などの技術を用いても良い。
【００６８】
また、デジタルカメラ１０と接続して画像ファイルを送信する外部機器は、携帯電話端末に限らず、電子ブック、スマートホン、携帯音楽プレーヤ、ＰＤＡ（Ｐｅｒｓｏｎａｌ  Ｄｉｇｉｔａｌ  Ａｓｓｉｓｔａｎｔｓ：個人向け情報携帯端末）、あるいはメモリナビ等とも称されるＰＮＤ（Ｐｅｒｓｏｎａｌ  Ｎａｖｉｇａｔｉｏｎ  Ｄｅｖｉｃｅ）等であっても良い。
【００６９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００７０】
以下に、本願出願の当所の特許請求の範囲に記載された発明を付記する。  
請求項１記載の発明は、画像を撮影する撮影手段と、上記撮影手段での撮影で得た画像データを記録する記録手段と、近接される外部機器と非接触でデータ通信環境を確立する近接通信手段と、装置の姿勢を検出する姿勢検出手段と、上記近接通信手段により外部機器とのデータ通信環境を確立した状態での上記姿勢検出手段の検出結果に応じて、上記記録手段から予め設定された単位の画像データを読出し、上記近接通信手段により上記外部機器へ転送する転送制御手段とを具備したことを特徴とする。
【００７１】
請求項２記載の発明は、上記請求項１記載の発明において、装置筐体に与えられる物理的な操作を検出する操作検出手段をさらに具備し、上記転送制御手段は、上記近接通信手段により外部機器とのデータ通信環境を確立した状態での、上記姿勢検出手段の検出結果と、及び上記操作検出手段の検出結果とに応じて、上記記録手段から予め設定された単位の画像データを読出し、上記近接通信手段により上記外部機器へ転送することを特徴とする。
【００７２】
請求項３記載の発明は、上記請求項１記載の発明において、上記姿勢検出手段は、装置の正立または倒立を検出することを特徴とする。
【００７３】
請求項４記載の発明は、上記請求項２記載の発明において、上記操作検出手段は、装置筐体に与えられる揺動または振動の操作を検出することを特徴とする。
【００７４】
請求項５記載の発明は、上記請求項１記載の発明において、現在位置を測定する測位手段をさらに具備し、上記記録手段は撮影時の現在位置を示す位置情報を画像データに関連付けて記録し、上記転送制御手段は、予め設定された距離範囲内の位置情報が関連付けられた画像データを１単位として上記記録手段から読出し、上記近接通信手段により上記外部機器へ転送することを特徴とする。
【００７５】
請求項６記載の発明は、画像を撮影する撮影部、上記撮影部での撮影で得た画像データを記録する記録部、近接される外部機器と非接触でデータ通信環境を確立する近接通信部、及び装置の姿勢を検出する姿勢検出部を備えた撮像装置が内蔵するコンピュータが実行するプログラムであって、上記プログラムを、上記近接通信部により外部機器とのデータ通信環境を確立した状態での上記姿勢検出部の検出結果に応じて、上記記録部から予め設定された単位の画像データを読出し、上記近接通信部により上記外部機器へ転送する転送制御手段として機能させることを特徴とするプログラム。
【符号の説明】
【００７６】
１０…デジタルカメラ、１１…撮影レンズ部、１２…ＣＭＯＳイメージセンサ（ＩＳ）、１３…ＡＧＣ・Ａ／Ｄ変換部、１４…画像処理部、１５…表示部、１６…タッチ入力部、１７…マイクロホン、１８…音声処理部、１９…スピーカ、２０…ＣＰＵ、２１…メインメモリ、２２…プログラムメモリ、２３…キー操作部、２４…フラッシュ駆動部、２５…イメージセンサ（ＩＳ）駆動部、２６…３軸加速度センサ、２７…ジャイロスコープ、２８…近接通信部、２９…メモリカードコントローラ、３０…ＧＰＳレシーバ、３１…フラッシュ部、３２…メモリカード、３３…カードコネクタ、３４…ＧＰＳアンテナ、ＩＭ…慣性計測部、ＳＢ…システムバス。
【図１】
2012182576.tif 000003
【図２】
2012182576.tif 000004
【図３】
2012182576.tif 000005